(57)【要約】  【課題】  清潔な浄化水を得ることができる排水浄化装置および排水浄化方法を提供する。【解決手段】  有機性の排水を浄化する排水浄化装置１であって、排水を微生物で処理する微生物処理槽３、４と、微生物処理槽３、４で処理された排水に含まれる微生物を吸着除去する活性炭６２と、活性炭６２により微生物が除去された排水をオゾンで処理するオゾン処理槽７とを備える排水浄化装置１である。【選択図】  図１
2010194398.tif 000002
【特許請求の範囲】
【請求項１】
有機性の排水を浄化する排水浄化装置であって、
排水を微生物で処理する微生物処理手段と、
前記微生物処理手段で処理された排水に含まれる微生物を吸着除去する多孔質体と、
前記多孔質体により微生物が除去された排水をオゾンで処理するオゾン処理手段とを備える排水浄化装置。
【請求項２】
有機性の排水を浄化する排水浄化方法であって、
排水を微生物で処理する微生物処理工程と、
前記微生物処理工程で処理された排水に含まれる微生物を多孔質体により吸着除去する微生物除去工程と、
前記微生物除去工程で微生物が除去された排水をオゾンで処理するオゾン処理工程とを備える排水浄化方法。
【発明の詳細な説明】
【技術分野】
【０００１】
本発明は、生活排水などの有機性の排水を浄化する排水浄化装置および排水浄化方法に関する。
【背景技術】
【０００２】
生活排水などの有機性の排水を浄化する排水浄化装置としては、例えば、特許文献１に開示されている排水浄化装置が知られている。
【０００３】
この排水浄化装置１０１は、図３に示すように、地中に埋設されたタンク１０２と、タンク１０２内に収容された流動式吸着器１３４と、流動式吸着器１３４に連続する固定式吸着器１３８と、流動式吸着器１３４に排水を供給する排水供給ライン１３０とを備えている。流動式吸着器１３４は、内部に流動可能に充填された吸着剤１３２を備えており、固定式吸着器１３８は、内部に固定された吸着剤１４０を備えている。吸着剤１３２、１４０としては、排水中に含まれる被吸着物質を吸着することにより排水から除去する活性炭、珪藻土およびゼオライトなどを用いることができる。
【０００４】
このような排水浄化装置１０１によれば、排水供給ライン１３０から流動式吸着器１３４に供給された排水は、流動式吸着器１３４およびそれに続く固定式吸着器１３８を通過する過程で、吸着剤１３２、１４０により内部の被吸着物質が除去され、浄化される。
【先行技術文献】
【特許文献】
【０００５】
【特許文献１】特開２００２−３５７６３号公報
【発明の概要】
【発明が解決しようとする課題】
【０００６】
しかし、この排水浄化装置１０１では、排水が流動式吸着器１３４に直接供給されるので、流動式吸着器１３４内の吸着剤１３２は汚染度の高い排水を浄化すことになり、吸着剤１３２にかかる負荷が大きくなっていた。そのため、排水を十分に浄化することができないという問題があった。
【０００７】
本発明は、上記問題を解決するためになされたものであって、清潔な浄化水を得ることができる排水浄化装置および排水浄化方法の提供を目的とする。
【課題を解決するための手段】
【０００８】
本発明の前記目的は、有機性の排水を浄化する排水浄化装置であって、排水を微生物で処理する微生物処理手段と、前記微生物処理手段で処理された排水に含まれる微生物を吸着除去する多孔質体と、前記多孔質体により微生物が除去された排水をオゾンで処理するオゾン処理手段とを備える排水浄化装置により達成される。
【０００９】
また、本発明の前記目的は、有機性の排水を浄化する排水浄化方法であって、排水を微生物で処理する微生物処理工程と、前記微生物処理工程で処理された排水に含まれる微生物を多孔質体により吸着除去する微生物除去工程と、前記微生物除去工程で微生物が除去された排水をオゾンで処理するオゾン処理工程とを備える排水浄化方法により達成される。
【発明の効果】
【００１０】
本発明の排水浄化装置および排水浄化方法によれば、清潔な浄化水を得ることができる。
【図面の簡単な説明】
【００１１】
【図１】本発明の一実施形態に係る排水浄化装置の概略構成を示す断面図である。
【図２】図１に示す排水浄化装置を一部断面で示す平面図である。
【図３】従来の排水浄化装置の概略構成を示す断面図である。
【発明を実施するための形態】
【００１２】
以下、本発明の実施形態について添付図面を参照して説明する。図１は、本発明の一実施形態に係る排水浄化装置１の概略構成を示す断面図であり、図２は、この排水浄化装置１を一部断面で示す平面図である。
【００１３】
図１および図２に示すように、排水浄化装置１は、生活排水などの有機性の排水を貯留する排水貯留タンク９０および雨水を貯留する雨水貯留タンク９１に接続されており、地中に埋設されたタンク２と、タンク２内において順に並んだ第１微生物処理槽３、第２微生物処理槽４、微生物除去槽６、オゾン処理槽７および浄化水貯留槽８とを備えている。
【００１４】
排水貯留タンク９０は、排水を収集して排水貯留タンク９０に供給する排水収集ライン９８と、排水に含まれるゴミを除去する排水フィルター９２とを備えている。雨水貯留タンク９１は、雨水を収集して雨水貯留タンク９１に供給する雨水収集ライン９９と、雨水に含まれるゴミを除去する雨水フィルター９４とを備えている。
【００１５】
タンク２は、し尿や雑排水を浄化処理する公知の浄化槽を再利用したものであって、浄化槽内の腐敗槽、酸化槽および消毒槽などを取り除いたものである。また、タンク２は、内部に配置された第１仕切壁２１および第２仕切壁２２を備えており、上部は蓋１０で覆われている。タンク２の内面は、次亜塩素酸塩などの消毒剤で消毒され、ガラス繊維強化プラスチックや炭素繊維強化プラスチックなどの補強材で被覆されていることが好ましい。
【００１６】
第１微生物処理槽３は、タンク２の内部が第１仕切壁２１に仕切られることにより形成されており、内部に配置された上網３４および下網３５と、内部に不規則に充填された複数の微生物担体チップ３２とを備えている。また、第１微生物処理槽３は、排水貯留槽９０から第１微生物処理槽３に排水を供給する排水供給ライン３１と、第１微生物処理槽３に空気を供給する曝気管３３と、第１微生物処理槽３の底部に沈澱する沈殿物を除去する沈殿物除去ライン３６とを備えている。また、第１微生物処理槽３は、第１仕切壁２１の下部に形成された連通孔３７を介して第２微生物処理槽４に接続されている。微生物担体チップ３２は、上網３４および下網３５に囲まれることにより、第１微生物処理槽３内で流動するように収容されている。この微生物担体チップ３２としては、生物膜の付着面積が大きく、摩耗が少なく、流動性に優れ、軽量で、かつ、強度に優れるものが好ましく、このような観点から、例えば、ポリプロピレン（ｐｐ）からなる円筒体を用いることができる。この円筒体の比表面積は、上述の観点から、３５０〜１０００ｍ２／ｍ３が好ましく、３９０〜９５０ｍ２／ｍ３がより好ましい。また、具体的な微生物担体チップ３２として、ゼオン環境資材株式会社製  バクアファーム、及び、バクアパイプを例示できる。曝気管３３および沈殿物除去ライン３６は、空気を生成する公知の空気生成装置１１に接続されており、生成された空気が供給される。沈殿物除去ライン３６は、空気生成装置１１から送出された空気の作用により沈殿物を管内に押し上げて外部に除去できるように構成されている。
【００１７】
第２微生物処理槽４は、タンクの２の内部が第１仕切壁２１および第２仕切壁２２によって仕切られることにより形成されており、内部に充填された複数の活性化石炭４１と、活性化石炭４１を保持するために下部に配置された石炭保持網４２と、第２微生物処理槽４に空気を供給する曝気管４３とを備えている。活性化石炭４１は、３０００ｋｃａｌ／ｇ程度の低品位石炭を酸処理して細孔を形成した多孔質微粒炭であって、高い吸着力でタンパク質や洗剤類などを分解処理する微生物を担持させた公知のものを用いることができる。
【００１８】
微生物除去槽６は、タンク２の内部に配置された筒状の容器であり、第２微生物処理槽４から微生物除去槽６に排水を案内する第１案内ライン６１と、微生物除去槽６からオゾン処理槽７に排水を案内する第２案内ライン６３と、内部に出し入れ可能に収容された活性炭６２と、上部に配置された開閉可能な開閉蓋６５とを備えている。活性炭６２としては、木材、やし殻などの炭素質の物質を高温で炭化し、多数の微細孔を形成して吸着剤としたものであって、微生物が生息可能に構成された公知のものを用いることができる。活性炭６２は、開閉蓋６５を開けて出し入れすることにより交換可能に構成されている。
【００１９】
オゾン処理槽７は、タンク２の内部に配置された筒状の容器であり、オゾン処理槽７にオゾンガスを供給するオゾン散気管７２を備え、供給されたオゾンガスにより排水を浄化して浄化水を生成するように構成されている。また、オゾン処理槽７は、雨水貯留タンク９１からオゾン処理槽７に雨水を供給する雨水供給ライン７４を備えており、供給された雨水を排水と共に浄化するように構成されている。また、オゾン処理槽７は、内部で生成された浄化水を浄化水貯留槽８に排出する浄化水排出ライン７３を備えており、浄化水排出ライン７３には、通過する浄化水を消毒するための次亜塩素酸減菌剤が収容された薬筒７５が取り付けられている。オゾン散気管７２は、オゾンガスを生成する公知のオゾンガス生成装置７１に接続されており、生成されたオゾンガスが供給される。また、オゾン処理槽７は、内部に沈澱した沈殿物を除去する沈殿物除去ライン７６を備えており、沈殿物除去ライン７６は、空気生成装置１１に接続され、エアリフト効果により沈殿物を外部に除去できるように構成されている。
【００２０】
浄化水貯留槽８は、タンク２の内部が第２仕切壁２２で仕切られることにより形成されており、内部に浄化水を貯留可能に構成されている。また、浄化水貯留槽８は、浄化水をユースポイントへ供給する浄化水供給ライン８２を備えている。浄化水供給ライン８２は、先端に取り付けられたフロート８３を備えており、フロート８３を介して浄化水が管内に導入されるように構成されている。また、浄化水供給ライン８２は、浄化水を浄化水供給ライン８２へ送出する送水ポンプ８４と、浄化水に含まれる不純物を取り除くストレーナー８５とを備えている。
【００２１】
次に、以上のように構成された排水浄化装置１を用いて排水を浄化する方法を説明する。
【００２２】
まず、排水貯留タンク９０に貯留されている排水を排水供給ライン３１から第１微生物処理槽３に供給した後、排水を微生物で処理する微生物処理工程（ステップＳ１）を行う。具体的には、空気生成装置１１を作動させることにより、曝気管３３から第１微生物処理槽３に空気を供給し、微生物担体チップ３２に生息する微生物を活性させて排水を浄化する。排水を微生物処理すると、微生物によって分解された有機物などが沈殿物として第１微生物処理槽３の底部に滞留する。沈澱物は沈殿物除去ライン３６を介して外部に排出される。微生物処理された排水は連通孔３７を介して第２微生物処理槽４に流入する。続いて、空気生成装置１１から第２微生物処理槽４に空気を供給することにより、活性化石炭４１に生息する微生物を活性させて排水を浄化する。微生物処理工程（Ｓ１）では、微生物担体チップ３２および活性化石炭４１に生息する微生物の一部が排水の水流により排水中に流出する。微生物処理された排水および排水中に流出した微生物は、第１案内ライン６１を介して微生物除去槽６に流入する。
【００２３】
次に、微生物除去槽６に流入した排水は、活性炭６２により内部に含まれる微生物が吸着除去される（ステップＳ２）。具体的には、排水中に含まれる微生物は、排水が活性炭６２を通過する際に、活性炭６２に生息し、排水中から排除される。活性炭６２で処理された排水は、第２案内ライン６３を介してオゾン処理槽７に送られる。
【００２４】
その後、排水をオゾン処理して浄化水を生成するオゾン処理工程（ステップＳ３）を行う。具体的には、オゾンガス生成装置７１を作動させることにより、オゾン散気管７２からオゾン処理槽７にオゾンガスを供給し、オゾンの作用により排水の殺菌、消毒、漂白などを行う。また、雨水供給ライン７４からオゾン処理槽７に供給された雨水も同様にオゾン処理する。こうして排水および雨水が浄化されることにより浄化水が生成され、この浄化水は浄化水排出ライン７３を介して浄化水貯留槽８に送られ、貯留される。
【００２５】
浄化水を使用する場合には、送水ポンプ８４を作動させることにより、浄化水貯留槽８から浄化水供給ライン８２へ浄化水を送出し、ユースポイントへ供給する。
【００２６】
本実施形態に係る排水浄化装置１によれば、有機性の排水を微生物で処理し、微生物処理された排水に含まれる微生物を活性炭６２により吸着除去し、微生物が除去された排水をオゾンで処理するので、微生物処理における微生物がオゾンで死滅することがなく、十分な量の微生物により微生物処理をすることができる。また、オゾン処理される排水中に含まれる微生物の量を少なくすることができ、オゾン処理で発生する微生物の死骸を少なくすることができる。したがって、清潔な浄化水を得ることができる。
【００２７】
以上、本発明の一実施形態について説明したが、本発明の具体的な態様は、上記実施形態に限定されるものではない。
【００２８】
例えば、本実施形態では、微生物除去槽６に収容されたものは活性炭６２であったが、排水中の微生物を吸着して排水から除去できる多孔質体であれば特に限定されず、珪藻土およびゼオライトなどでもよい。
【符号の説明】
【００２９】
１  排水浄化装置
２  タンク
３  第１微生物処理槽
４  第２微生物処理槽
６  微生物除去槽
７  オゾン処理槽
８  浄化水貯留槽
３２  微生物担体チップ
４１  活性化石炭
６２  活性炭
７２  オゾン散気管
【図１】
2010194398.tif 000003
【図２】
2010194398.tif 000004
【図３】
2010194398.tif 000005